(57)【要約】【課題】  電話回線とデータ交換ネットワークのいずれを用いても通信可能な通信装置であって、双方の回線を有効に利用可能な通信装置を提供する。【解決手段】  データ交換ネットワーク３を用いて音声及びデータの通信を行う第１通信部１１と、電話回線４を用いて音声及びデータの通信を行う第２通信部１２を有している。第１通信部１１が使用中であり、第２通信部１２が空いていて第２通信部１２で通信を行うための一般電話番号が電話番号管理部１４に登録されていれば、第２通信部１２を用いて電話回線４を通じて通信を行うように制御部１３で制御する。あるいは、第１通信部１１で行っている通信を第２通信部１２による通信に切り替えて第１通信部１１を空けた後、新たな通信要求に対応する通信を第１通信部１１で行うことができる。【選択図】  図１
2005286975.tif 000002
【特許請求の範囲】
【請求項１】
データ交換ネットワークを用いて音声及びデータの通信を行う第１通信手段と、電話回線を用いて音声及びデータの通信を行う第２通信手段と、通信要求を受け付けたとき前記第１通信手段または前記第２通信手段のいずれかが使用中の場合には空いている前記第１通信手段または前記第２通信手段で通信を行うように制御する制御手段を有することを特徴とする通信装置。
【請求項２】
さらに、前記データ交換ネットワーク上で使用する第１電話番号と前記電話回線上で使用する第２電話番号とを対応づけて管理する管理手段を有し、前記制御手段は、前記第１通信手段が空いているときに前記第１電話番号を用いて前記第１通信手段により通信を行い、あるいは前記第２通信手段が空いているときには前記第２電話番号を用いて前記第２通信手段により通信を行うように制御することを特徴とする請求項１に記載の通信装置。
【請求項３】
前記制御手段は、音声通話要求を受け付けたとき、前記第２通信手段が使用中で前記第１通信手段が空いており前記第１電話番号が前記管理手段に登録されていない場合、あるいは前記第１通信手段が使用中で前記第２通信手段が空いており前記第２電話番号が前記管理手段に登録されていない場合には、通話不能とすることを特徴とする請求項２に記載の通信装置。
【請求項４】
前記制御手段は、データ通信要求を受け付けたとき、前記第２通信手段が使用中で前記第１通信手段が空いており前記第１電話番号が前記管理手段に登録されていない場合、あるいは前記第１通信手段が使用中で前記第２通信手段が空いており前記第２電話番号が前記管理手段に登録されていない場合には、送信予約状態として所定のタイミングで再送信の処理を行うことを特徴とする請求項２に記載の通信装置。
【請求項５】
データ交換ネットワークを用いて音声及びデータの通信を行う第１通信手段と、電話回線を用いて音声及びデータの通信を行う第２通信手段と、前記データ交換ネットワーク上で使用する第１電話番号と前記電話回線上で使用する第２電話番号とを対応づけて管理する管理手段と、通信要求を受け付けたときに前記第１通信手段が使用中で前記第２通信手段が空いており前記第１通信手段による通信に用いている第１電話番号に対応する前記第２電話番号が前記管理手段に登録されている場合には前記第１通信手段を用いて行っている通信を前記第２通信手段を用いた通信に切り替えた後に新たに受け付けた前記通信要求に対する通信を前記第１通信手段を用いて行うように制御する制御手段を有することを特徴とする通信装置。
【請求項６】
データ交換ネットワークを用いて音声及びデータの通信を行う第１通信手段と、電話回線を用いて音声及びデータの通信を行う第２通信手段と、前記データ交換ネットワーク上で使用する第１電話番号と前記電話回線上で使用する第２電話番号とを対応づけて管理する管理手段と、通信要求を受け付けたときに前記第２通信手段が使用中で前記第１通信手段が空いており前記第２通信手段による通信に用いている第２電話番号に対応する前記第１電話番号が前記管理手段に登録されている場合には前記第２通信手段を用いて行っている通信を前記第１通信手段を用いた通信に切り替えた後に新たに受け付けた前記通信要求に対する通信を前記第２通信手段を用いて行うように制御する制御手段を有することを特徴とする通信装置。
【請求項７】
前記制御手段は、通信中の前記第１通信手段による通信に用いている前記第１電話番号に対応する前記第２電話番号、または、通信中の前記第２通信手段による通信に用いている前記第２電話番号に対応する前記第１電話番号が前記管理手段に登録されていない場合には、空いている前記第１通信手段または前記第２通信手段を用いて前記通信要求に対する通信を行うことを特徴とする請求項５または請求項６に記載の通信装置。
【請求項８】
前記制御手段は、前記通信要求として音声通話要求を受け付けたとき、前記第１通信手段及び前記第２通信手段が使用中の場合には、通話不能とすることを特徴とする請求項５ないし請求項７のいずれか１項に記載の通信装置。
【請求項９】
前記制御手段は、前記通信要求としてデータ通信要求を受け付けたとき、前記第１通信手段及び前記第２通信手段が使用中の場合には、送信予約状態として所定のタイミングで再送信の処理を行うことを特徴とする請求項５ないし請求項７のいずれか１項に記載の通信装置。
【請求項１０】
データ交換ネットワークを用いて音声及びデータの通信を行う第１通信手段と、電話回線を用いて音声及びデータの通信を行う第２通信手段と、前記データ交換ネットワーク上で使用する第１電話番号と前記電話回線上で使用する第２電話番号とを対応づけて管理する管理手段と、前記第１通信手段及び前記第２通信手段がそれぞれ通信中である状態から第１通信手段による通信が終了したときに前記第２通信手段による通信に用いている第２電話番号に対応する第１電話番号が前記管理手段に登録されている場合には前記第２通信手段を用いて行っている通信を前記第１通信手段を用いた通信に切り替えて通信を続けるように制御する制御手段を有することを特徴とする通信装置。
【請求項１１】
データ交換ネットワークを用いて音声及びデータの通信を行う第１通信手段と、電話回線を用いて音声及びデータの通信を行う第２通信手段と、前記データ交換ネットワーク上で使用する第１電話番号と前記電話回線上で使用する第２電話番号とを対応づけて管理する管理手段と、前記第１通信手段及び前記第２通信手段がそれぞれ通信中である状態から第２通信手段による通信が終了したときに前記第１通信手段による通信に用いている第１電話番号に対応する第２電話番号が前記管理手段に登録されている場合には前記第１通信手段を用いて行っている通信を前記第２通信手段を用いた通信に切り替えて通信を続けるように制御する制御手段を有することを特徴とする通信装置。
【発明の詳細な説明】
【技術分野】
【０００１】
本発明は、ＬＡＮやインターネットなどのデータ交換ネットワークと、公衆回線や内線などの電話回線を用いて通信を行う場合の通信技術に関するものである。
【背景技術】
【０００２】
近年、ＬＡＮやインターネットなどのデータ交換ネットワークの普及とともに、データ交換ネットワークを用いたファクシミリ通信等のデータ通信が盛んに行われるようになっている。また、一般の電話回線とＬＡＮなどのデータ交換ネットワークの双方に接続され、適宜回線を選択してファクシミリ送信する装置も開発されている。
【０００３】
また、データ交換ネットワークの高速化により、ＩＰ電話に代表される音声通信も行われるようになってきた。このＩＰ電話についても、例えば特許文献１や特許文献２に記載されているように、公衆回線とデータ交換ネットワークのいずれかを適宜選択して使用する技術が記載されている。
【０００４】
しかしいずれの技術も、電話回線とデータ交換ネットワークのいずれも使用可能な装置は１台のみであり、そのような高機能の装置が複数台存在する場合については考えられていない。そのため、１台の装置が電話回線とデータ交換ネットワークのいずれを使用しても通信可能であっても、いずれか一方の回線しか利用せず、他方の回線を利用することについては考えられていなかった。
【０００５】
【特許文献１】特開２００１−２２３７４８号公報
【特許文献２】特開２００２−１７６４５３号公報
【発明の開示】
【発明が解決しようとする課題】
【０００６】
本発明は、上述した事情に鑑みてなされたもので、電話回線とデータ交換ネットワークのいずれを用いても通信可能な通信装置であって、双方の回線を有効に利用可能な通信装置を提供することを目的とするものである。
【課題を解決するための手段】
【０００７】
本発明は、電話回線とデータ交換ネットワークを用いて通信可能な通信装置であって、データ交換ネットワークを用いて音声及びデータの通信を行う第１通信手段と、電話回線を用いて音声及びデータの通信を行う第２通信手段と、通信要求を受け付けたとき第１通信手段または第２通信手段のいずれかが使用中の場合には空いている第１通信手段または第２通信手段で通信を行うように制御する制御手段を有することを特徴とするものである。
【０００８】
さらに、データ交換ネットワーク上で使用する第１電話番号と電話回線上で使用する第２電話番号とを対応づけて管理する管理手段を設け、第１通信手段が空いているときに第１電話番号を用いて第１通信手段により通信を行い、あるいは第２通信手段が空いているときには第２電話番号を用いて第２通信手段により通信を行うように構成することができる。
【０００９】
なお、音声通話要求を受け付け、そのときに第２通信手段が使用中で第１通信手段が空いているが第１電話番号が管理手段に登録されていない場合、あるいは、第１通信手段が使用中で第２通信手段が空いているが第２電話番号が管理手段に登録されていない場合には、通話不能とすることができる。また、データ通信要求を受け付けたときには、第２通信手段が使用中で第１通信手段が空いているが第１電話番号が管理手段に登録されていない場合、あるいは、第１通信手段が使用中で第２通信手段が空いているが第２電話番号が管理手段に登録されていない場合には、送信予約状態として、所定のタイミングで再送信の処理を行うように制御することができる。
【００１０】
また本発明は、電話回線とデータ交換ネットワークを用いて通信可能な通信装置であって、データ交換ネットワークを用いて音声及びデータの通信を行う第１通信手段と、電話回線を用いて音声及びデータの通信を行う第２通信手段と、データ交換ネットワーク上で使用する第１電話番号と電話回線上で使用する第２電話番号とを対応づけて管理する管理手段と、通信要求を受け付けたときに第１通信手段が使用中であり該第１通信手段による通信に用いている第１電話番号に対応する第２電話番号が管理手段に登録されている場合には、第１通信手段を用いて行っている通信を第２通信手段を用いた通信に切り替えた後に、新たに受け付けた通信要求に対する通信を第１通信手段を用いて行うように制御する制御手段を有することを特徴とするものである。あるいは逆に、通信要求を受け付けたときに第２通信手段が使用中であり該第２通信手段による通信に用いている第２電話番号に対応する第１電話番号が管理手段に登録されている場合には、第２通信手段を用いて行っている通信を第１通信手段を用いた通信に切り替えた後に、新たに受け付けた通信要求に対する通信を第２通信手段を用いて行うように制御することを特徴とするものである。
【００１１】
このような構成において、通信中の第１通信手段による通信に用いている第１電話番号に対応する第２電話番号、または、通信中の第２通信手段による通信に用いている第２電話番号に対応する第１電話番号が管理手段に登録されていない場合には、そのまま空いている第１通信手段または第２通信手段を用いて通信要求に対する通信を行うように構成することができる。また、第１通信手段及び第２通信手段とも使用中の場合には、通信要求が音声通話要求のときには通話不能とし、通信要求がデータ通信要求のときには送信予約状態として所定のタイミングで再送信の処理を行うように構成することができる。
【００１２】
さらに本発明は、電話回線とデータ交換ネットワークを用いて通信可能な通信装置であって、データ交換ネットワークを用いて音声及びデータの通信を行う第１通信手段と、電話回線を用いて音声及びデータの通信を行う第２通信手段と、データ交換ネットワーク上で使用する第１電話番号と電話回線上で使用する第２電話番号とを対応づけて管理する管理手段と、第１通信手段及び前記第２通信手段がそれぞれ通信中である状態から第１通信手段による通信が終了したときに、第２通信手段による通信に用いている第２電話番号に対応する第１電話番号が管理手段に登録されている場合には、第２通信手段を用いて行っている通信を第１通信手段を用いた通信に切り替えて通信を続けるように制御する制御手段を有することを特徴とするものである。あるいは逆に、第１通信手段及び第２通信手段がそれぞれ通信中である状態から第２通信手段による通信が終了したときに、第１通信手段による通信に用いている第１電話番号に対応する第２電話番号が管理手段に登録されている場合には、第１通信手段を用いて行っている通信を第２通信手段を用いた通信に切り替えて通信を続けるように制御することを特徴とするものである。
【発明の効果】
【００１３】
本発明によれば、電話回線とデータ交換ネットワークのいずれかが使用中でも、他方が空いていれば、その空いている回線を用いて通信を行うことができるので、両者を有効に活用することができるという効果がある。
【００１４】
また本発明では、新たな通信要求が発生したとき、通信中の音声通話あるいはデータ通信を別の回線に切り替えてから、新たな通信要求に対する通信を行うことができる。これによって、いずれかの回線を優先的に用いて、新たな通信要求に対して通信を開始することができる。
【００１５】
さらに、両方の回線を使用している状態から、優先度の高い側の回線の通信が終了した場合、優先度の低い側の回線を用いた通信を優先度の高い側の回線を用いた通信に切り替えることができ、優先度の高い回線を有効に利用することができる。例えばコストパフォーマンスのよい回線を優先的に用いることが可能になるという効果もある。
【発明を実施するための最良の形態】
【００１６】
図１は、本発明の実施の一形態を示すブロック図である。図中、１，２は通信装置、３はデータ交換ネットワーク、４は電話回線、１１は第１通信部、１２は第２通信部、１３は制御部、１４は電話番号管理部である。通信装置１は本発明の通信装置であって、ＬＡＮやインターネットなどのデータ交換ネットワーク３及び公衆回線や内線などの電話回線４を通じて、他の通信装置（例えば通信装置２）との間で通信を行うことができる。なお、この例では通信装置１は音声通話要求とデータ通信要求を受け付けることができるものとする。もちろん、いずれか一方の要求を複数受け付け可能であってもよい。
【００１７】
通信装置１は、第１通信部１１、第２通信部１２、制御部１３、電話番号管理部１４等を含んで構成されている。第１通信部１１は、データ交換ネットワーク３を用いて音声及びデータの通信を行う。第２通信部１２は、電話回線４を用いて音声及びデータの通信を行う。
【００１８】
制御部１３は、通信要求を受け付け、第１通信部１１または第２通信部１２のいずれかに、通信要求に対応する通信を行わせるように制御する。このとき、電話番号管理部１４で管理されている電話番号を参照し、いずれか電話番号が登録されている方を用いる。例えばＩＰ電話番号のみしか登録されていない相手先については第１通信部１１を用いて通信を行い、一般電話番号しか登録されていない相手先については第２通信部１２を用いて通信を行うように制御する。両方の電話番号が登録されている場合には、いずれかを用いて通信を行うが、以下の説明では、データ交換ネットワーク３を用いて通信を行う第１通信部１１を優先して利用するものとし、ここでは、両方の電話番号が登録されている場合には、第１通信部１１を用いて通信を行うように制御する。
【００１９】
また、第１通信部１１が使用中であり、第２通信部１２が空いているときに通信要求を受けた場合には、相手先の電話番号として一般電話番号が登録されていれば、第２通信部１２によって電話回線４を用いて通信を行うように制御する。もちろん逆に、第２通信部１２が使用中であり、第１通信部１１が空いていて、相手先の電話番号としてＩＰ電話番号が登録されていれば、第１通信部１１によってデータ交換ネットワーク３を用いて通信を行うように制御する。
【００２０】
なお、第１通信部１１が使用中であり、第２通信部１２が空いている場合であっても、通信要求の相手先の電話番号として一般電話番号が登録されていなれば、第２通信部１２による通信を行うことができない。同様に、第２通信部１２が使用中であり、第１通信部１１が空いている場合であっても、相手先の電話番号としてＩＰ電話番号が登録されていなければ、第１通信部１１によって通信を行うことができない。また、第１通信部１１及び第２通信部１２の両方とも使用中であるときに通信要求を受けた場合も、通信を行うことができない。このような場合には、通信要求が音声通話要求である場合には通話不能とし、また通信要求がファクシミリ通信などのデータ通信要求である場合には、送信予約状態として所定のタイミングで再送信の処理を行う。
【００２１】
さらに制御部１３は、優先して利用する第１通信部１１が使用中であり、第１通信部１１を利用する通信要求の場合、例えばＩＰ電話番号しか登録されていなかった場合や、常に新たな通信要求について第１通信部１１を用いる場合には、第１通信部１１における通信の相手先について一般電話番号が登録されていれば、第２通信部１２を用いた通信に切り替えて第１通信部１１を空けた上で、新たな通信要求に対応する通信を第１通信部１１で行うように制御することができる。
【００２２】
さらにまた、第１通信部１１及び第２通信部１２の両方とも使用中の状態から、第１通信部１１における通信が終了した場合に、第２通信部１２において通信を行っている相手先に対応するＩＰ電話番号が登録されている場合には、第１通信部１１による通信に切り替えて通信を続行するように制御することもできる。
【００２３】
なお、通信途中における回線の切り替え機能については、設けずに構成することも可能である。
【００２４】
電話番号管理部１４は、データ交換ネットワーク３上で使用するＩＰ電話番号と、電話回線４上で使用する一般電話番号とを対応づけて管理している。図２は、電話番号管理部１４が管理する電話番号の一例の説明図である。この例では、相手先名と、一般電話番号、ＩＰ電話番号を対応づけて管理している例を示している。これを用いることによって、通信要求の際には、相手先名の指定により通信を行うことができる。
【００２５】
図３は、本発明の実施の一形態における制御部の第１の動作例を示すフローチャートである。Ｓ２１において音声通話要求を受けたか否かを判定し、またＳ２２においてデータ通信要求を受けたか否かを判定することにより、通信要求の検出を行っている。Ｓ２１で音声通話要求を検出すると、Ｓ２３において、通信を要求された相手先に対応するＩＰ電話番号の登録が電話番号管理部１４に存在するか否かを判定する。なお、通信要求時にＩＰ電話番号そのものが指定された場合には、ＩＰ電話番号のみの登録があったものとして扱い、一般電話番号そのものが指定された場合には、一般電話番号のみの登録があったものとして扱うことができる。
【００２６】
ＩＰ電話番号の登録があれば、Ｓ２４において、第１通信部１１が使用中であるか否かを判定する。第１通信部１１が空いていれば、Ｓ２６において、第１通信部１１を用いて音声通話を行う。すなわち、データ交換ネットワーク３を用いたＶｏＩＰ（Ｖｏｉｃｅ  ｏｖｅｒ  Ｉｎｔｅｒｎｅｔ  Ｐｒｏｔｏｃｏｌ）による通信（通話）を行う。
【００２７】
また、第１通信部１１が他の通信要求によって使用中であっても、多重発呼が可能であれば新たな音声通話要求に対しても第１通信部１１を利用可能である。Ｓ２５において、多重発呼が可能であるか否かを判定し、多重発呼が可能であれば、同じくＳ２６においてＶｏＩＰによる通信（通話）を行う。
【００２８】
Ｓ２３でＩＰ電話番号の登録がなされていないと判断された場合や、Ｓ２４で第１通信部１１が使用中であってＳ２５で多重発呼が可能でないと判断された場合には、第１通信部１１を利用することができない。このような場合には、図３に示した動作例では、第２通信部１２による電話回線４を用いた通信が可能であれば、自動的に第２通信部１２による通信を選択する。なお、この時点でデータ交換ネットワーク３を用いた通信ができない旨を利用者に報知し、空いている回線を利用するか、あるいは通信をやめるかを、利用者が選択するように構成してもよい。
【００２９】
Ｓ２７において音声通話要求の相手先について電話番号管理部１４に一般電話番号の登録があるか否かを判定する。一般電話番号の登録があれば、さらにＳ２８において第２通信部１２が使用中であるか否かを判定する。第２通信部１２が空いていれば、Ｓ２９において、電話回線４を用いた通話の処理を行う。
【００３０】
なお、Ｓ２７で一般電話番号の登録がない場合や、Ｓ２８の判定で第２通信部１２が使用中であった場合には、第２通信部１２による電話回線４を用いた通話を行うことができない。そのため、この場合にはＳ３０において、通話不能として発呼エラー処理を行う。
【００３１】
このようにして、ＩＰ電話番号の登録があり、あるいはＩＰ電話番号が指定され、第１通信部１１が空いていればデータ交換ネットワーク３を用いて音声通話を行い、また、一般電話番号しか登録されておらず、あるいは一般電話番号が指定され、第２通信部１２が空いていれば電話回線４を用いて通話を行うことができる。さらに、第１通信部１１が使用中でデータ交換ネットワーク３によるＩＰ電話による通話ができない場合であっても、電話回線４が空いていて一般電話番号が登録されていれば、自動的に第２通信部１２を選択して、電話回線４を利用した通話を行うことができる。
【００３２】
Ｓ２２でデータ通信要求を検出した場合も、同様の処理を行うことができる。Ｓ３１において、通信を要求された相手先に対応するＩＰ電話番号の登録が電話番号管理部１４に存在するか否かを判定する。なお、通信要求時にＩＰ電話番号または一般電話番号そのものが指定された場合の取り扱いは音声通話要求の場合と同様である。
【００３３】
ＩＰ電話番号の登録があれば、Ｓ３２において、第１通信部１１が使用中であるか否かを判定する。第１通信部１１が空いていれば、Ｓ３４において、第１通信部１１を用い、データ交換ネットワーク３を通じて相手先とデータ通信を行う。
【００３４】
また、第１通信部１１が他の通信要求によって使用中であっても、多重発呼が可能であれば新たなデータ通信要求に対しても第１通信部１１を利用可能である。Ｓ３３において、多重発呼が可能であるか否かを判定し、多重発呼が可能であれば、同じくＳ３４においてデータ通信を行う。
【００３５】
Ｓ３１でＩＰ電話番号の登録がなされていないと判断された場合や、Ｓ３２で第１通信部１１が使用中であってＳ３３で多重発呼が可能でないと判断された場合には、第１通信部１１を利用することができない。この図３に示した動作例では、第２通信部１２による電話回線４を用いた通信が可能であれば、自動的に第２通信部１２による通信を選択する。なお、この時点でデータ交換ネットワーク３を用いた通信ができない旨を利用者に報知し、空いている回線を利用するか、あるいは通信をやめるかを、利用者が選択するように構成してもよい。
【００３６】
Ｓ３５においてデータ通信要求の相手先について電話番号管理部１４に一般電話番号の登録があるか否かを判定する。一般電話番号の登録があれば、さらにＳ３６において第２通信部１２が使用中であるか否かを判定する。第２通信部１２が空いていれば、Ｓ３７において、電話回線４を用いて例えばファクシミリ通信などのデータ通信を行う。
【００３７】
なお、Ｓ３５で一般電話番号の登録がない場合や、Ｓ３６の判定で第２通信部１２が使用中であった場合には、第２通信部１２による電話回線４を用いたデータ通信を行うことができない。そのため、この場合にはＳ３８において通信エラーの処理を行うことになるが、例えばファクシミリ通信などの場合には一般にリダイヤル（再通信）の処理を行っている。ここでも同様に、通信予約を行い、所定時間後にリダイヤルの処理を行うように構成することができる。
【００３８】
このようにして、ＩＰ電話番号の登録があり、あるいはＩＰ電話番号が指定され、第１通信部１１が空いていればデータ交換ネットワーク３を用いてデータ通信を行い、また、一般電話番号しか登録されておらず、あるいは一般電話番号が指定され、第２通信部１２が空いていれば電話回線４を用いてデータ通信を行うことができる。さらに、第１通信部１１が使用中でデータ交換ネットワーク３によるデータ通信ができない場合であっても、電話回線４が空いていて一般電話番号が登録されていれば、自動的に第２通信部１２を選択して、電話回線４を利用したデータ通信を行うことができる。
【００３９】
図４は、本発明の実施の一形態における制御部の第２の動作例を示すフローチャートである。上述の図３に示した第１の動作例では、新たな通信要求に対応する通信を、空いている回線により行う例を示した。この第２の動作例では、データ交換ネットワークを優先して新たな通信要求に対応する通信に用いる例を示す。
【００４０】
なお、この第２の動作例では図３におけるＳ２５及びＳ３３の判断がＮｏであった場合の処理を示しており、○に２番を付して示した矢線以降の処理を図４に示している。なお、図３におけるそれ以外の処理はそのまま同様に実行するものである。
【００４１】
通信要求がなされ、ＩＰ電話番号が登録されあるいはＩＰ電話番号が指定されたが、第１通信部１１が使用中であり、多重発呼ができない場合に、図４のＳ４１に進む。
【００４２】
Ｓ４１において、第２通信部１２が電話回線４を通じて通信中であるか否かを判定する。通信中である場合には、第１通信部１１及び第２通信部１２とも利用できないので、エラー処理を行う。Ｓ４２において、要求された通信が音声通話であるのか、あるいはデータ通信であるのかを判定し、音声通話要求であった場合にはＳ４３で通話不能として発呼エラー処理を行う。またデータ通信要求であった場合には、Ｓ４４において、通信エラーの処理を行うことになる。この場合、例えばファクシミリ通信などの場合には通信予約を行い、所定時間後にリダイヤルの処理を行うように構成することができる。
【００４３】
また、第２通信部１２が通信中ではなく、電話回線４が空いている場合には、Ｓ４５において、第１通信部１１によるデータ交換ネットワーク３を用いた通信について、通信中の相手先のＩＰ電話番号に対応する一般電話番号が電話番号管理部１４に登録されているか否かを判定する。もし、一般電話番号が登録されていない場合には、その通信を第２通信部１２による電話回線４を用いた通信に切り替えることができない。このような場合には、この例ではＳ４２〜Ｓ４４の通信エラーの処理を行う。あるいは、空いている電話回線４を用いて要求された通信を行うようにしても良い。
【００４４】
第２通信部１２が通信中ではなく、第１通信部１１によって通信を行っている相手先の一般電話番号が登録されている場合には、Ｓ４６以降の処理によって、第１通信部１１による通信を第２通信部１２による通信に切り替える。Ｓ４６において、第１通信部１１で通信中なのが音声通話であるのか、あるいはデータ通信であるのかを判定する。音声通話の場合には、Ｓ４７において、まず通信路を切り替える旨の報知を行う。通信路の切り替え（データ交換ネットワーク３から電話回線４への切り替え）には多少の時間がかかり、その間は通話することができなくなるが、この報知によって、通話者は通信路の切り替えが発生して通話が一時中断することを知ることができる。また、相手先に一旦電話を切って待っていてもらう操作が必要な場合もある。
【００４５】
Ｓ４８において、第１通信部１１によるデータ交換ネットワーク３を用いた音声通話を一時停止し、Ｓ４９において、第２通信部１２から電話回線４を通じて一般電話番号を用いて発呼する。電話回線４によって相手先と通じたら、Ｓ５０において第１通信部１１から第２通信部１２への切り替え処理を行って、Ｓ５１において第１通信部１１によるデータ交換ネットワーク３を用いた通信を切断し、Ｓ５２において第２通信部１２による電話回線４を用いた音声通話を再開する。このようにして、第１通信部１１で行われていた音声通話を、第２通信部１２に切り替えて継続して行うことができる。
【００４６】
第１通信部１１がデータ通信中であった場合には、Ｓ５３において、まず相手先の通信装置に対して、通信路を切り替える旨を通知し、相手先の通信装置に通信路の切り替えのための処理を行っておいてもらう。Ｓ５４において、第１通信部１１によるデータ交換ネットワーク３を用いて行っている通信手順を一時終了し、Ｓ５５において、第２通信部１２から電話回線４を通じて一般電話番号を用いて相手先の通信装置へ発呼する。電話回線４によって相手先の通信装置と通じたら、Ｓ５６において第１通信部１１から第２通信部１２への切り替え処理を行って、Ｓ５７において第１通信部１１によるデータ交換ネットワーク３を用いた通信を切断し、Ｓ５８において第２通信部１２による電話回線４を用いたデータ通信を再開する。このようにして、第１通信部１１で行われていたデータ通信を、第２通信部１２に切り替えて継続して行うことができる。
【００４７】
上述のようにして第１通信部１１で行われていた音声通話あるいはデータ通信を第２通信部１２に切り替えることによって第１通信部１１が空くので、新たな通信要求に従って第１通信部１１を用いて通信を開始する。Ｓ５９において、新たな通信要求が音声通話要求であるのか、あるいはデータ通信要求であるのかを判定し、音声通話要求であれば、Ｓ６０において第１通信部１１を用いて音声通話、すなわち、データ交換ネットワーク３を用いたＶｏＩＰによる通信（通話）を行う。またデータ通信要求であれば、Ｓ６１において第１通信部１１からデータ交換ネットワーク３を通じて相手先の通信装置とデータ通信を行う。
【００４８】
このようにして、データ交換ネットワーク３が使用中でも、その通信を電話回線４に切り替えた上で新たな通信要求に対してデータ交換ネットワーク３を利用した通信を提供することができる。
【００４９】
なお、上述の説明では通信要求がなされ、ＩＰ電話番号が登録されあるいはＩＰ電話番号が指定されたが、第１通信部１１が使用中であり、多重発呼ができない場合に、第２通信部１２が空いていれば第１通信部１１で通信中の音声通話またはデータ通信を第２通信部１２に切り替えて第１通信部１１を空け、新たな通信要求に対する通信を第１通信部１１で行うものとした。しかしこれに限らず、例えば第１通信部１１が使用中で第２通信部１２が空いている場合、新たな通信要求による相手先のＩＰ電話番号は登録されているが、一般電話番号が登録されていない場合に限って回線の切り替えを行うように構成してもよい。
【００５０】
図５は、本発明の実施の一形態における制御部の第３の動作例を示すフローチャートである。上述の図４に示した第２の動作例では、新たな通信要求が発生した時に回線の切り替えを行う例を示した。このほかの回線の切り替えを行う場合として、例えば第１通信部１１及び第２通信部１２が両方とも使用中であり、その後に第１通信部１１の通信が終了した場合、第２通信部１２による通信を第１通信部１１に切り替えることが考えられる。このような場合の切り替え処理について図５に示している。
【００５１】
上述のように第１通信部１１及び第２通信部１２が両方とも使用中である状態から、第１通信部１１の通信が終了すると、Ｓ７１において、第２通信部１２で通信中の相手先のＩＰ電話番号が電話番号管理部１４に登録されているか否かを判定する。登録されていない場合には第１通信部１１に切り替えることができないので、この切り替え処理を終える。従って、第２通信部１２による通信はそのまま続行される。
【００５２】
ＩＰ電話番号が電話番号管理部１４に登録されていれば、第２通信部１２において行っている通信を第１通信部１１に切り替えることが可能である。この切り替え処理は図４におけるＳ４６〜Ｓ５８とほぼ同様の処理で行うことができるので、ここでは簡単に説明する。
【００５３】
Ｓ７２において、第２通信部１２で通信中なのが音声通話であるのか、あるいはデータ通信であるのかを判定する。音声通話の場合には、Ｓ７３において、まず通信路を切り替える旨の報知を行う。Ｓ７４において、第２通信部１２による電話回線４を用いた音声通話を一時停止し、Ｓ７５において、第１通信部１１からデータ交換ネットワーク３を通じてＩＰ電話番号を用いて発呼する。データ交換ネットワーク３によって相手先と通信可能になったら、Ｓ７６において第２通信部１２から第１通信部１１への切り替え処理を行って、Ｓ７７において第２通信部１２による電話回線４を用いた通話を切断し、Ｓ７８において第１通信部１１によるデータ交換ネットワーク３を用いて通信を開始し、音声通話を再開する。このようにして、第２通信部１２で行われていた音声通話を、第１通信部１１に切り替えて継続して行うことができる。
【００５４】
第２通信部１２がデータ通信中であった場合には、Ｓ７９において、まず相手先の通信装置に対して、通信路を切り替える旨を通知し、相手先の通信装置に通信路の切り替えのための処理を行っておいてもらう。Ｓ８０において、第２通信部１２による電話回線４を用いて行っている通信手順を一時終了し、Ｓ８１において、第１通信部１１からデータ交換ネットワーク３を通じてＩＰ電話番号を用いて相手先の通信装置へ発呼する。データ交換ネットワーク３によって相手先の通信装置と通信可能になったら、Ｓ８２において第２通信部１２から第１通信部１１への切り替え処理を行って、Ｓ８３において第２通信部１２による電話回線４を用いた通信を切断し、Ｓ８４において第１通信部１１によるデータ交換ネットワーク３を用いた通信を開始し、データ通信を再開する。このようにして、第２通信部１２で行われていたデータ通信を、第１通信部１１に切り替えて継続して行うことができる。
【００５５】
上述のようにして第２通信部１２で行われていた音声通話あるいはデータ通信を第１通信部１１に切り替えることができる。例えばデータ交換ネットワーク３を用いた通信の方が通信料金が安価である場合、なるべくデータ交換ネットワーク３を用いて通信を行うことが望まれる。上述のように通信コストが安いデータ交換ネットワーク３が空いた場合に、そのデータ交換ネットワーク３へ回線を切り替えることによって、通信コストを抑えることができる。
【００５６】
以上、いくつかの動作例について説明した。上述の各動作例では、データ交換ネットワーク３を用いて通信を行う第１通信部１１を優先して利用するものとし、先に第１通信部１１が空いているか否かを判定し、また第２の動作例では新たな通信要求に第１通信部１１を割り当てるものとし、さらに第３の動作例では第１通信部１１による通信が終了したら、第２通信部１２の通信を第１通信部１１に切り替えることとした。しかし、本発明はこれに限られるものではなく、電話回線４を用いて通信を行う第２通信部１２を優先して利用するものとして先に第２通信部１２が空いているか否かを判定し、また第２の動作例では新たな通信要求に対して第２通信部１２を割り当てるものとし、さらに第３の動作例では第２通信部１２による通信が終了したら、第１通信部１１の通信を第２通信部１２に切り替えるように構成してもよい。
【図面の簡単な説明】
【００５７】
【図１】本発明の実施の一形態を示すブロック図である。
【図２】電話番号管理部１４が管理する電話番号の一例の説明図である。
【図３】本発明の実施の一形態における制御部の第１の動作例を示すフローチャートである。
【図４】本発明の実施の一形態における制御部の第２の動作例を示すフローチャートである。
【図５】本発明の実施の一形態における制御部の第３の動作例を示すフローチャートである。
【符号の説明】
【００５８】
１，２…通信装置、３…データ交換ネットワーク、４…電話回線、１１…第１通信部、１２…第２通信部、１３…制御部、１４…電話番号管理部。
【図１】
2005286975.tif 000003
【図２】
2005286975.tif 000004
【図３】
2005286975.tif 000005
【図４】
2005286975.tif 000006
【図５】
2005286975.tif 000007